(57)【要約】【課題】ダイレクトリンク設定無線ネットワークにおける電源節約モードのためのプロトコルの提供。【解決手段】本発明の一実施例によると、ダイレクトリンクを設定している第１のステーション及び第２のステーションのうち、電源節約モードに進入しようとする第１のステーションは、前記第２のステーションとの通信のために必要な予約情報を含む要求メッセージを前記第２のステーションに送信する。前記第２のステーションは、前記要求メッセージに対する応答として前記予約情報に対する受容如何を指示する状態コードを含む応答メッセージを前記第１のステーションに送信する。状態コードが受容を指示すれば、第１のステーションは、電源管理ビットが‘１’に設定されたＭＰＤＵを第２のステーションに送信して、電源節約モードに進入することができる。然し、状態コードが不受容を指示すれば、応答メッセージには修正された予約情報が含まれることができる。【選択図】図８
2011503999.tif 000002
【特許請求の範囲】
【請求項１】
ダイレクトリンクを設定している第１のステーション及び第２のステーションのための手順において、
電源節約モードに進入しようとする第１のステーションは、前記第２のステーションとの通信のために必要な予約情報を含む要求メッセージを前記第２のステーションに送信して；及び
前記第２のステーションは、前記要求メッセージに対する応答として前記予約情報に対する受容如何を指示する状態コードを含む応答メッセージを前記第１のステーションに送信することを含むダイレクトリンク設定無線ネットワークにおける電源節約モードのための手順。
【請求項２】
前記状態コードが予約情報に対する受容を指示する場合、
前記第１のステーション及び前記第２のステーションのうち少なくとも一つのステーションは、電源節約ビットが‘１’に設定されたＭＰＤＵ（ＭＡＣ  Ｐｒｏｔｏｃｏｌ  Ｄａｔａ  Ｕｎｉｔ）をピアステーションに送信し、電源節約モードに進入することをさらに含むことを特徴とする請求項１に記載のダイレクトリンク設定無線ネットワークにおける電源節約モードのための手順。
【請求項３】
前記第１のステーションまたは前記第２のステーションは、前記予約情報を更新するための要求メッセージをピアステーションに送信することをさらに含むことを特徴とする請求項２に記載のダイレクトリンク設定無線ネットワークにおける電源節約モードのための手順。
【請求項４】
前記予約情報は、起床スケジュール情報を含むことを特徴とする請求項１に記載のダイレクトリンク設定無線ネットワークにおける電源節約モードのための手順。
【請求項５】
前記起床スケジュール情報は、開始時間情報、インターバル情報、及び最小持続時間情報を含むことを特徴とする請求項４に記載のダイレクトリンク設定無線ネットワークにおける電源節約モードのための手順。
【請求項６】
前記予約情報は、チャネル情報をさらに含むことを特徴とする請求項４に記載のダイレクトリンク設定無線ネットワークにおける電源節約モードのための手順。
【請求項７】
前記状態コードが予約情報に対する不受容を指示する場合、
前記応答メッセージは、前記予約情報とは異なる修正された予約情報を含むことを特徴とする請求項１に記載のダイレクトリンク設定無線ネットワークにおける電源節約モードのための手順。
【請求項８】
前記要求メッセージ及び前記応答メッセージは、アクセスポイントを介して送信されたり、または設定されたダイレクトリンクを介して送信されることを特徴とする請求項１に記載のダイレクトリンク設定無線ネットワークにおける電源節約モードのための手順。
【請求項９】
第１のステーションが第２のステーションにダイレクトリンクを介してデータフレームを送信する方法であって、
前記第１のステーションは、前記第２のステーションに送信するデータフレームがあるという事実を知らせるためのメッセージとして前記データフレームを送信する時に用いるチャネルに関する予約情報を含むダイレクトリンク告知要求メッセージを、前記第２のステーションに送信する段階；及び
前記第２のステーションは、前記ダイレクトリンク告知要求メッセージに対する応答としてダイレクトリンク告知応答メッセージを前記第１のステーションに送信する段階；
を含むダイレクトリンク設定無線ネットワークにおけるフレーム送信方法。
【請求項１０】
前記ダイレクトリンク告知応答メッセージが前記ダイレクトリンク告知要求メッセージに含まれた予約情報を受容する場合、前記第１のステーションは、前記予約情報に応じてデータフレームを前記第２のステーションに送信する段階をさらに含むことを特徴とする請求項９に記載のダイレクトリンク設定無線ネットワークにおけるフレーム送信方法。
【請求項１１】
前記第２のステーションが前記ダイレクトリンク告知要求メッセージに含まれた予約情報を拒絶する場合、前記ダイレクトリンク告知要求メッセージに対する応答として修正された予約情報が含まれたダイレクトリンク告知応答メッセージを送信する段階をさらに含むことを特徴とする請求項９に記載のダイレクトリンク設定無線ネットワークにおけるフレーム送信方法。
【請求項１２】
前記予約情報は、オフセット情報、持続時間情報、及び周期情報をさらに含むことを特徴とする請求項９に記載のダイレクトリンク設定無線ネットワークにおけるフレーム送信方法。
【請求項１３】
前記予約情報は、前記第１のステーションが前記データフレームを前記第２のステーションに送信する時に使用する前記ダイレクトリンクのオフチャネル情報をさらに含むことを特徴とする請求項１２に記載のダイレクトリンク設定無線ネットワークにおけるフレーム送信方法。
【発明の詳細な説明】
【技術分野】
【０００１】
本発明は、無線ＬＡＮ（Ｗｉｒｅｌｅｓｓ  Ｌｏｃａｌ  Ａｒｅａ  Ｎｅｔｗｏｒｋ、ＷＬＡＮ）に関し、より詳しくは、ダイレクトリンク設定（Ｄｉｒｅｃｔ  Ｌｉｎｋ  Ｓｅｔｕｐ、ＤＬＳ）無線ネットワークにおける電源節約モードのための手順に関する。
【背景技術】
【０００２】
情報通信技術の発展とともに多様な無線通信技術が開発されている。このうち、無線ＬＡＮ（Ｗｉｒｅｌｅｓｓ  Ｌｏｃａｌ  Ａｒｅａ  Ｎｅｔｗｏｒｋ、ＷＬＡＮ）は、ラジオ周波数技術に基づいて個人携帯用情報端末機（Ｐｅｒｓｏｎａｌ  Ｄｉｇｉｔａｌ  Ａｓｓｉｓｔａｎｔ、ＰＤＡ）、ラップトップコンピュータ（Ｌａｐｔｏｐ  Ｃｏｍｐｕｔｅｒ）、携帯型マルチメディアプレーヤ（Ｐｏｒｔａｂｌｅ  Ｍｕｌｔｉｍｅｄｉａ  Ｐｌａｙｅｒ、ＰＭＰ）などのような携帯型端末機を用いて家庭、企業、または航空機などのような特定サービス提供地域で無線でインターネットに接続できるようにする技術である。
【０００３】
最近、ＷＬＡＮと関連付けられている設備の普及の増加に応じて、ラップトップコンピュータなどのような携帯用端末のユーザは、向上した移動性をもって彼らの業務を処理することができる。例えば、ユーザは、自分のラップトップコンピュータを自分の机から会議室へ持って会議に参加することができ、このような場合にも、相変らず、ローカルネットワークに接続を維持しながら、データなどをフェッチすることができる。また、ユーザは、有線連結されていなくても自分のローカルネットワークに備えられている一つまたはその以上のモデムやゲートウェイを介してインターネット接続をすることもできる。同様に、ビジネス旅行を行く人も特別な難しさ無く自分の携帯用端末機を用いてイメールアカウントに接続し、受信されたイメールを読み取ったり、またはイメールを作成して、これを送ることができる。
【０００４】
初期の無線ＬＡＮ技術は、ＩＥＥＥ８０２．１１を介して２．４ＧＨｚ周波数を使用して周波数ホッピング、帯域拡散、赤外線通信などによって１〜２Ｍｂｐｓの速度をサポートした。最近、無線通信技術の発展に応じて直交周波数分割多重（Ｏｒｔｈｏｇｏｎａｌ  ｆｒｅｑｕｅｎｃｙ  Ｄｉｖｉｓｉｏｎ  Ｍｕｌｔｉｐｌｅｘ、ＯＦＤＭ）技術などを無線ＬＡＮに適用して最大５４Ｍｂｐｓの速度をサポートできるようにしている。さらに、ＩＥＥＥ８０２．１１ではサービス品質（Ｑｕａｌｉｔｙ  ｏｆ  Ｓｅｒｖｉｃｅ、ＱｏＳ）の向上、アクセスポイント（Ａｃｃｅｓｓ  Ｐｏｉｎｔ、ＡＰ）プロトコル互換、セキュリティ強化（Ｓｅｃｕｒｉｔｙ  Ｅｎｈａｎｃｅｍｅｎｔ）、無線リソース測定（Ｒａｄｉｏ  Ｒｅｓｏｕｒｃｅ  Ｍｅａｓｕｒｅｍｅｎｔ）、車両環境のための無線接続（Ｗｉｒｅｌｅｓｓ  Ａｃｃｅｓｓ  ｉｎ  Ｖｅｈｉｃｕｌａｒ  Ｅｎｖｉｒｏｎｍｅｎｔ）、迅速なローミング（Ｆａｓｔ  Ｒｏａｍｉｎｇ）、メッシュネットワーク（Ｍｅｓｈ  Ｎｅｔｗｏｒｋ）、外部ネットワークとの相互作用（Ｉｎｔｅｒ−ｗｏｒｋｉｎｇ  ｗｉｔｈ  Ｅｘｔｅｒｎａｌ  Ｎｅｔｗｏｒｋ）、無線ネットワーク管理（Ｗｉｒｅｌｅｓｓ  Ｎｅｔｗｏｒｋ  Ｍａｎａｇｅｍｅｎｔ）などのための無線通信技術を開発して実用化し、現在も開発中である。
【０００５】
ＩＥＥＥ８０２．１１において基本サービスセット（Ｂａｓｉｃ  Ｓｅｒｖｉｃｅ  Ｓｅｔ、ＢＳＳ）は、成功的に同期化したＳＴＡの集合をいう。また、基本サービス領域（Ｂａｓｉｃ  Ｓｅｒｖｉｃｅ  Ａｒｅａ、ＢＳＡ）は、ＢＳＳを構成するメンバを含んでいる領域をいう。ＢＳＡは、無線媒体の電波特性に応じて変わることができるため、境界が多少不明確である。ＢＳＳは、基本的に独立ＢＳＳ（Ｉｎｄｅｐｅｎｄｅｎｔ  ＢＳＳ、ＩＢＳＳ）及びインフラストラクチャＢＳＳ（Ｉｎｆｒａｓｔｒｕｃｔｕｒｅｄ  ＢＳＳ）の２種類構成に分類することができる。前者は、自分が含まれた（ｓｅｌｆ−ｃｏｎｔａｉｎｅｄ）ネットワークを形成するものであり、配信システム（Ｄｉｓｔｒｉｂｕｔｉｏｎ  Ｓｙｓｔｅｍ、ＤＳ）への接続が許容されないＢＳＳをいい、後者は、一つ以上のアクセスポイント（Ａｃｃｅｓｓ  Ｐｏｉｎｔ、ＡＰ）及び配信システムなどを含むものであり、一般的にステーション間の通信を含む全ての通信過程においてＡＰが用いられるＢＳＳをいう。
【０００６】
初期のＷＬＡＮ通信手順によると、インフラストラクチャＢＳＳでは非ＡＰステーション（Ｎｏｎ−ＡＰ  ＳＴＡ）間にデータを直接送信することを許容しない一方、データの送信のためには必ずＡＰを経由することを要求した。然しながら、最近、無線通信の効率向上のためにＮｏｎ−ＡＰ  ＳＴＡ間のダイレクトリンク設定（Ｄｉｒｅｃｔ  Ｌｉｎｋ  Ｓｅｔｕｐ、ＤＬＳ）をサポートしている。これによると、サービス品質（Ｑｕａｌｉｔｙ  ｏｆ  Ｓｅｒｖｉｃｅ、ＱｏＳ）をサポートするＢＳＳ、    即ち、サービス品質ステーション（ＱＳＴＡ）及びサービス品質アクセスポイント（ＱＡＰ）で構成されたサービス品質基本サービスセット（ＱＢＳＳ）では、非ＡＰステーション（Ｎｏｎ−ＡＰ  ＳＴＡ）は、ダイレクトリンクを設定して、ＱＡＰを経由することなくダイレクトリンクを介して直接通信をすることができる。
【発明の概要】
【発明が解決しようとする課題】
【０００７】
前述したように、既存のＤＬＳ設定手順は、ＢＳＳがＱｏＳをサポートするＱＢＳＳを前提とする。ＱＢＳＳではＮｏｎ−ＡＰ  ＳＴＡだけでなく、ＡＰもＱｏＳをサポートするＱＡＰである。然しながら、現在商用化されている無線ＬＡＮ環境（例えば、ＩＥＥＥ８０２．１１ａ／ｂ／ｇなどにともなう無線ＬＡＮ環境）では、たとえＮｏｎ−ＡＰ  ＳＴＡがＱｏＳをサポートするＱＳＴＡであるとしても、ＡＰは、ＱｏＳがサポートできないレガシ（Ｌｅｇａｃｙ）ＡＰが大部分である。その結果、現在商用化されている無線ＬＡＮ環境ではＱＳＴＡであるとしてもＤＬＳサービスを用いることができない限界がある。
【０００８】
トンネルダイレクトリンク設定（Ｔｕｎｎｅｌｅｄ  Ｄｉｒｅｃｔ  Ｌｉｎｋ  Ｓｅｔｕｐ、ＴＤＬＳ）は、このような限界を克服するために新しく提案された無線通信プロトコルである。ＴＤＬＳは、ＱｏＳをサポートしないが、現在商用化されたＩＥＥＥ８０２．１１ａ／ｂ／ｇなどの無線ＬＡＮ環境でもＱＳＴＡがダイレクトリンクが設定することを可能にするものである。従って、ＴＤＬＳは、レガシＡＰが管理するＢＳＳにおいてもＱＳＴＡがダイレクトリンクが設定できるようにするための諸般手順を規定する。また、以下ではＴＤＬＳ手順をサポートする無線ネットワークをＴＤＬＳ無線ネットワークという。
【０００９】
一方、ＢＳＳを構成するＮｏｎ−ＡＰ  ＳＴＡは、２種類の電源管理モード（Ｐｏｗｅｒ  Ｍａｎａｇｅｍｅｎｔ  Ｍｏｄｅ）、即ち、アクティブモード（Ａｃｔｉｖｅ  Ｍｏｄｅ、ＡＭ）及び電源節約モード（Ｐｏｗｅｒ  Ｓａｖｅ  Ｍｏｄｅ、ＰＳＭ）のうち一つのモードで動作する。Ｎｏｎ−ＡＰ  ＳＴＡは、ユーザ所有の携帯用装置であることが一般的であるため、電源を效率的に管理することができるようにＰＳＭをサポートすることは必須であるということができる。この場合、ＰＳＭで動作するＳＴＡにもデータや管理フレームなどが送信されることができるようにすべきであり、これは前記ＳＴＡが他のＮｏｎ−ＡＰ  ＳＴＡ（以下、‘ピア（Ｐｅｅｒ）ＳＴＡ’という）とダイレクトリンクを設定している場合にも同様である。このために、既存の無線通信ネットワークでは、ＱＡＰがＰＳＭで動作するＱＳＴＡのために一時的にデータをバッファリングし、また、バッファリングされたデータをＱＳＴＡに送信する手順に関して規定している。
【００１０】
Ｎｏｎ−ＡＰ  ＳＴＡがＰＳＭで動作することを許容して、また、ＰＳＭで動作するＮｏｎ−ＡＰ  ＳＴＡにフレームの送信を保障することができるようにする無線通信プロトコルは、ＴＤＬＳ無線ネットワークでも必要である。然しながら、ＴＤＬＳ無線ネットワークでは、ＡＰがＱｏＳをサポートしないレガシＡＰであるため、ＱＡＰを前提とし、またＱＡＰがＰＳＭで動作するＳＴＡのためにデータをバッファリングするようにしながら、また、バッファリングされているフレームの送信のためにＱＡＰとＰＳＭで動作するＳＴＡとの間の通信手順を規律する無線通信プロトコルは、ＴＤＬＳ無線ネットワークでそのまま適用されることができない。
【００１１】
従って、本発明が解決しようとする一つの課題は、ピアＮｏｎ−ＡＰ  ＳＴＡとＴＤＬＳリンクを設定しているＮｏｎ−ＡＰ  ＳＴＡが、ＰＳＭで動作することをサポートすることによって電源消耗を最小化することができるようにするダイレクトリンク設定ネットワークにおけるピア電源節約モードのための手順を提供することである。
【００１２】
本発明が解決しようとする他の一つの課題は、ピアＮｏｎ−ＡＰ  ＳＴＡとＴＤＬＳリンクを設定しているＮｏｎ−ＡＰ  ＳＴＡが、ＰＳＭモードで動作し、また、前記ＴＤＬＳリンクを介して前記ピアＮｏｎ−ＡＰ  ＳＴＡと通信できるようにするダイレクトリンク設定ネットワークにおけるピア電源節約モードのための手順を提供することである。
【課題を解決するための手段】
【００１３】
前記課題を解決するために本発明の実施例では、ピア電源節約モード（Ｐｅｅｒ  Ｐｏｗｅｒ  Ｓａｖｅ  Ｍｏｄｅ、ＰＰＳＭ）に関して新たに定義する。ＰＰＳＭは、ＴＤＬＳリンクの相手方、即ち、Ｐｅｅｒ  ＳＴＡがＰＰＳＭをサポートする端末である場合、該当ＳＴＡが前記ＴＤＬＳリ    ンクにそのままとどまりながら（ｒｅｍａｉｎｉｎｇ  ｏｎ  ｔｈｅ  ＴＤＬＳ  ｌｉｎｋ）、進入する電源節約モードをいう。ここで、ＳＴＡが‘ＴＤＬＳリンクにそのままとどまる’ということは、前記ＳＴＡがピアＳＴＡとの間に設定されたＴＤＬＳリンクをそのまま維持しながら、ＰＳＭモードに進入することを意味する。従って、電源節約モードに進入するＳＴＡは、フレームの受信経路をＡＰ経路に変更することなく電源節約モードに進入できる。また、ＰＳＭからアクティブモード（Ａｃｔｉｖｅ  Ｍｏｄｅ、ＡＭ）に切り替えた以後、または予め合意された所定の予約時間にのみ目覚めてＴＤＬＳリンクを介してピアＳＴＡが送信するデータなどを受信することができる。
【００１４】
ＰＰＳＭは、ＴＤＬＳをサポートするＳＴＡ（Ｎｏｎ−ＡＰ  ＳＴＡ）によって使われることができる。ＳＴＡは、ＰＰＳＭと関連付けられている情報、例えば、自分がＰＰＳＭをサポートするかどうかなどを相手方ＳＴＡに知らせることができる。例えば、ＳＴＡは、ＴＤＬＳ設定要求フレーム及び／またはＴＤＬＳ設定応答フレームを用いて、ＰＰＳＭと関連付けられている端末の能力値情報を知らせることができる。より具体的に、ＴＤＬＳ設定要求フレームやＴＤＬＳ設定応答フレームでＳＴＡの能力値情報（Ｃａｐａｂｉｌｉｔｉｅｓ  Ｉｎｆｏｒｍａｔｉｏｎ）を特定するための情報エレメント（Ｉｎｆｏｒｍａｔｉｏｎ  Ｅｌｅｍｅｎｔ）を用いることができる。例えば、前記情報エレメントは、ＱｏＳ情報エレメント（ＱｏＳ  Ｉｎｆｏ  Ｅｌｅｍｅｎｔ）であってもよく、或いは拡張能力値情報エレメント（Ｅｘｔｅｎｄｅｄ  Ｃａｐａｂｉｌｉｔｉｅｓ  Ｉｎｆｏｒｍａｔｉｏｎ  Ｅｌｅｍｅｎｔ）であってもよい。
【００１５】
ピア電源節約モード（Ｐｅｅｒ  ＰＳＭ）をサポートするＳＴＡが電源節約モードに進入する方法は複数あるが、そのうち一つの方法は、電源管理情報を用いることである。例えば、ＰＳＭに進入しようとするＳＴＡは、電源管理情報がＰＳＭを指示する値、例えば、電源管理ビットが‘１’に設定されているフレームを、ＴＤＬＳリンクのＰｅｅｒ  ＳＴＡに伝送後、ＰＳＭに進入することができる。
【００１６】
また、ピア電源節約モードに進入しようとするＳＴＡは、ピア電源節約モードに進入する以前に、アクティブモードに切り替える時間及び／または使用しようとするチャネルなどに対して前記ピアＰＳＭとネゴシエートすることができる。このために、Ｐｅｅｒ  ＰＳＭに進入しようとするＳＴＡは、アクティブモードに切り替える時間（例えば、起床スケジュール（ｗａｋｅｕｐ  ｓｃｈｅｄｕｌｅ））などのような予約情報を含む要求メッセージ及びこれに対する応答メッセージをピアＳＴＡと交換することができる。このような要求メッセージと応答メッセージとの切り替えによって前記予約情報に対する合意されれば、前記ＳＴＡは、このような予約情報に応じてＡＭ（Ａｃｔｉｖｅ  Ｍｏｄｅ）に切り替えてフレームなどを受信したり、または予約情報にともなうチャネルなどを用いてピアＳＴＡと通信することができる。
【００１７】
ピアＳＴＡが、ＳＴＡから受信された要求メッセージに含まれた予約情報（例えば、提案された起床スケジュール（Ｐｒｏｐｏｓｅｄ  ｗａｋｅｕｐ  ｓｃｈｅｄｕｌｅ））を受容する場合、前記ピアＳＴＡはそのような意思（例えば、状態コード（ｓｔａｔｕｓ  ｃｏｄｅ）‘０’）を含めた応答メッセージ（例えば、ピアＰＳＭ応答フレーム）を前記ＳＴＡに送信することができる。‘０’に状態コードが設定された応答メッセージを送信したり、または受信した前記ＳＴＡ及び前記ピアＳＴＡは、前記提案されたアクティブスケジュールに応じて、フレームを送信したり、または受信することができる。
【００１８】
もし、提案された予約情報を受容しない場合には、該当スケジュールを拒絶する適切な状態コードを含む応答メッセージを前記ＳＴＡに伝送することができる。この場合、もし、前記状態コードが“Ｗａｋｅｕｐ  ｓｃｈｅｄｕｌｅ  ｒｅｊｅｃｔｅｄ  ｂｕｔ  ａｌｔｅｒｎａｔｅ  ｓｃｈｅｄｕｌｅ  ｐｒｏｖｉｄｅ”を指示する場合には、前記応答メッ    セージには提案された予約情報を取り替える新しい起床スケジュール情報などのような予約情報が含まれることもできる。
【００１９】
ＳＴＡは、ピアＳＴＡに送信される承認されたＭＰＤＵ（ＭＡＣ  Ｐｒｏｔｏｃｏｌ  Ｄａｔａ  Ｕｎｉｔ）の電源管理ビットを‘１’に設定することによって、電源節約モードに進入することができる。もし、少なくとも一つのピアＳＴＡが電源節約モードに進入すれば、両方のピアＳＴＡは、予定された起床時間（ｗａｋｅｕｐ  ｔｉｍｅｓ）に目覚め、また、最小限の持続時間中に目覚めていたり、或いはピアサービス期間の終了まで目覚めている。また、両方のピアＳＴＡが、ピアＳＴＡに送信される承認されたＭＰＤＵ（ＭＡＣ  Ｐｒｏｔｏｃｏｌ  Ｄａｔａ  Ｕｎｉｔ）の電源管理ビットを‘０’に設定してアクティブモードに進入すれば、予約された起床時間（ｗａｋｅｕｐ  ｓｃｈｅｄｕｌｅ）などの予約情報は捨てられる。また、前記ピアＳＴＡのうちいずれか一つのＳＴＡは、現在アクティブ経路（ｃｕｒｒｅｎｔｌｙ  ａｃｔｉｖｅ  ｐａｔｈ）を介して新しい要求メッセージ（例えば、Ｐｅｅｒ  ＰＳＭ  Ｒｅｑｕｅｓｔ  ｆｒａｍｅ）を伝送することによって、現在の起床スケジュールなどのような予約情報を更新することもできる。
【発明の効果】
【００２０】
本発明の実施例ではＴＤＬＳ無線ネットワークにおけるピア電源節約モード（ＰＰＳＭ）を新たに定義する。ＰＰＳＭを用いれば、ＴＤＬＳリンクを設定したＳＴＡは、ＴＤＬＳ  ｌｉｎｋ  ｗｉｔｈ  ｐｅｅｒ  ＳＴＡをそのまま維持することによってデータ受信経路をＡＰ経路に変更することなくＰＳＭに進入することができる。この場合、前記ＳＴＡは、ＰＳＭに進入する以前に、予約情報が含まれた要求メッセージと応答メッセージをピアＳＴＡと交換することによって、起床時間及び／または使用するチャネルなどを予約することができる。
【００２１】
従って、ＴＤＬＳリンクを設定したＳＴＡは、ＰＳＭモードで動作する中に、電源消耗を最小化することができる。それだけでなく、ＰＳＭモードで動作するＳＴＡは、お互いに合意された予定時間にのみ目覚めてピアＳＴＡと通信ができるため、通信の効率性も向上させることができる。
【図面の簡単な説明】
【００２２】
【図１】ＴＤＬＳ手順と関連付けられている媒体接続制御（Ｍｅｄｉｕｍ  Ａｃｃｅｓｓ  Ｃｏｎｔｒｏｌ、ＭＡＣ）フレームのフォーマットを示すブロック図である。
【図２】ＴＤＬＳ設定手順を示すメッセージ流れ図である。
【図３】ＴＤＬＳ設定要求フレームに含まれることができる情報の一例を示す表である。
【図４】ＴＤＬＳ設定要求フレームとＴＤＬＳ設定応答フレームに含まれることができるＱｏＳ能力値情報エレメントのフォーマットを示すブロック図である。
【図５】図４のＱｏＳ情報フィールド（ＱｏＳ  Ｉｎｆｏ）のフォーマットを示すブロック図である。
【図６】ＴＤＬＳ設定要求フレームとＴＤＬＳ設定応答フレームに含まれることができる拡張能力値情報エレメントのフォーマットを示すブロック図である。
【図７】ＴＤＬＳ設定応答フレームに含まれることができる情報の一例を示す表である。
【図８】本発明の一実施例に係るピア電源節約モードのための手順を示すメッセージ流れ図である。
【図９】本発明の一実施例に従って、ダイレクトリンクを介してスケジュールにともなうフレーム送信のために無線リソースの接続時間を特定する方法の一例を説明するための図である。
【図１０】本発明の一実施例に従って、第１のＱＳＴＡ（ＱＳＴＡ１）が第２のＱＳＴＡ（ＱＳＴＡ２）に予め予約された時間にＴＤＬＳ経路を用いてデータを送信する手順を示す概略図である。
【図１１】図１０の概略図に対応するメッセージ流れ図の一例を示す図である。
【図１２】本発明の他の実施例に従って、第１のＱＳＴＡ（ＱＳＴＡ１）が第２のＱＳＴＡ（ＱＳＴＡ２）に予め予約された時間にＴＤＬＳ経路を用いてデータを送信する手順を示す概略図である。
【図１３】図１２の概略図に対応するメッセージ流れ図の一例を示す図である。
【発明を実施するための形態】
【００２３】
以下、添付図面を参照して本発明の実施例に対して詳細に説明する。
【００２４】
本発明の実施例が適用されることができるＴＤＬＳ無線ネットワークでは、たとえレガシＡＰに結合（Ａｓｓｏｃｉａｔｉｏｎ）しているＮｏｎ−ＡＰ  ＳＴＡであるとしても、相互間にダイレクトリンクであるＴＤＬＳリンクを設定して、また、設定されたＴＤＬＳリンクを解除することができる。いずれか一つのＳＴＡが相手方ＳＴＡとＴＤＬＳリンクを設定したり、または解除するためには、このための管理作用フレーム（Ｍａｎａｇｅｍｅｎｔ  Ａｃｔｉｏｎ  Ｆｒａｍｅｓ）、例えば、ＴＤＬＳフレームをレガシＡＰを介して交換することができるべきである。然しながら、レガシＡＰは、二つのＮｏｎ−ＡＰ  ＳＴＡのＴＤＬＳリンク設定に直接的に関与できないため、問題がある。
【００２５】
このような問題を解決するための一つの方法は、ＴＤＬＳフレームをデータフレームの形式にエンカプセレーションさせてレガシＡＰを経由して相手方ＳＴＡに送信することである。これによると、レガシＡＰは、単にＮｏｎ−ＡＰ  ＳＴＡ間の通信を中継する機能のみを実行して、ＴＤＬＳリンクの設定や管理、解除などの手順に全く関与しない。後述する本発明の実施例は、このようにＴＤＬＳリンクの設定、解除、及び管理のために、データフレームの形式にエンカプセレーション（ｅｎｃａｐｓｕｌａｔｉｏｎ）されたＴＤＬＳフレームを交換するＴＤＬＳ無線ネットワークに有用に適用されることができる。
【００２６】
ＴＤＬＳ無線ネットワークを構成する装置のうち、Ｎｏｎ−ＡＰ  ＳＴＡは、ＩＥＥＥ８０２．１１標準の規定に従う媒体接続制御（Ｍｅｄｉｕｍ  Ａｃｃｅｓｓ  Ｃｏｎｔｒｏｌ）及び無線媒体に対する物理層（Ｐｈｙｓｉｃａｌ  Ｌａｙｅｒ）インターフェースを含む任意の装置である。Ｎｏｎ−ＡＰ  ＳＴＡは、ＡＰでない無線局（Ｗｉｒｅｌｅｓｓ  Ｄｅｖｉｃｅ）であり、各々無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザ装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、または移動サブスクライバユニット（Ｍｏｂｉｌｅ  Ｓｕｂｓｃｒｉｂｅｒ  Ｕｎｉｔ）などで呼ばれることができる。
【００２７】
Ｎｏｎ−ＡＰ  ＳＴＡは、プロセッサ（Ｐｒｏｃｅｓｓｏｒ）及び送受信機（ｔｒａｎｓｃｅｉｖｅｒ）を含み、また、一般的にユーザインターフェース及びディスプレー手段などをさらに含むこともできる。プロセッサは、無線ネットワークを介して送信するフレームを生成したり、または前記無線ネットワークを介して受信されたフレームを処理するように考案された機能ユニットであり、ステーションを制御して、ユーザによって且つユーザのために入力された多数の信号処理機能を遂行する。また、送受信機は、前記プロセッサと機能的に連結されており、ステーションのために無線ネットワークを介してフレームを送受信するように考案されたユニットである。
【００２８】
また、Ｎｏｎ−ＡＰ  ＳＴＡは、後述するＴＤＬＳ無線ネットワークにおけるＰＰＳＭをサポートする。これによると、相手方Ｎｏｎ−ＡＰ  ＳＴＡとＴＤＬＳリンクを設定したＮｏｎ−ＡＰ  ＳＴＡは、前記相手方Ｎｏｎ−ＡＰ  ＳＴＡと起床時間などの情報を予めネゴシエートした後に電源節約モードで動作することができる。
【００２９】
また、ＡＰは、無線局機能を有し、また結合された無線局（Ａｓｓｏｃｉａｔｅｄ  Ｓｔａｔｉｏｎ）のために無線媒体を経由して配信システム（Ｄｉｓｔｒｉｂｕｔｉｏｎ  Ｓｙｓｔｅｍ、ＤＳ）に対する接続を提供する機能エンティティである。本発明の実施例によると、前記ＡＰは、サービス品質（ＱｏＳ）をサポートしないレガシＡＰであってもよく、サービス品質をサポートするＱＡＰであってもよい。このようなＡＰは、集中制御器、基地局（Ｂａｓｅ  Ｓｔａｔｉｏｎ、ＢＳ）、ノードＢ、またはサイト制御器などの名称で呼ばれることもできる。
【００３０】
図１は、ＴＤＬＳ無線ネットワークにおいて第１のＮｏｎ−ＡＰ  ＳＴＡがレガシＡＰを経由して相手方Ｎｏｎ−ＡＰ  ＳＴＡ（またはＰｅｅｒ  ＳＴＡ）と交換する媒体接続制御（Ｍｅｄｉｕｍ  Ａｃｃｅｓｓ  Ｃｏｎｔｒｏｌ、ＭＡＣ）フレーム（以下、‘ＴＤＬＳフレーム’という）のフォーマットを示すブロック図である。図１を参照すると、ＴＤＬＳフレームは、ＭＡＣヘッダフィールド（ＭＡＣ  Ｈｅａｄｅｒ）、論理リンク制御（Ｌｏｇｉｃａｌ  Ｌｉｎｋ  Ｃｏｎｔｒｏｌ、ＬＬＣ）／サブネットワーク接続プロトコル（Ｓｕｂ−Ｎｅｔｗｏｒｋ  Ａｃｃｅｓｓ  Ｐｒｏｔｏｃｏｌ、ＳＮＡＰ）フィールド、リモートフレーム類型フィールド（Ｒｅｍｏｔｅ  Ｆｒａｍｅ  Ｔｙｐｅ）、ＴＤＬＳパケット類型フィールド（ＴＤＬＳ  Ｐａｃｋｅｔ  Ｔｙｐｅ）、情報フィールド（Ｉｎｆｏｒｍａｔｉｏｎ）、及び  ＣＲＣ（Ｃｙｃｌｉｃ  Ｒｅｄｕｎｄａｎｃｙ  Ｃｏｄｅ）を含む。また、ＴＤＬＳフレームは、プロトコルバージョンフィールド（Ｐｒｏｔｏｃｏｌ  Ｖｅｒｓｉｏｎ）をさらに含むこともできる。
【００３１】
ＭＡＣヘッダフィールドにはほぼ全ての類型のフレームに共通される情報が含まれる。例えば、ＭＡＣヘッダフィールドは、フレーム制御フィールド（Ｆｒａｍｅ  Ｃｏｎｔｒｏｌ）、持続時間／ＩＤフィールド（Ｄｕｒａｔｉｏｎ／ＩＤ）、複数の住所フィールド（Ａｄｄｒｅｓｓ１、Ａｄｄｒｅｓｓ２、Ａｄｄｒｅｓｓ３、Ａｄｄｒｅｓ４）、シーケンス制御フィールド（Ｓｅｑｕｅｎｃｅ  Ｃｏｎｔｒｏｌ）、及び／またはサービス品質（Ｑｕａｌｉｔｙ  ｏｆ  Ｓｅｒｖｉｃｅ、ＱｏＳ）制御フィールド（ＱｏＳ  Ｃｏｎｔｒｏｌ）などを含むことができる。
【００３２】
このうち、フレーム制御フィールドは、プロトコルバージョンフィールド（Ｐｒｏｔｏｃｏｌ  Ｖｅｒｓｉｏｎ）、フレームの機能を識別するためのタイプ及びサブタイプフィールド（Ｔｙｐｅ  ａｎｄ  Ｓｕｂｔｙｐｅ）、後続する現在のＭＳＤＵやＭＭＰＤＵの追加フラグメントが存在するかを指示するための追加フラグメントフィールド（Ｍｏｒｅ  Ｆｒａｇｍｅｎｔｓ）、再送信されるフレームであるかを指示するためのリトライフィールド（Ｒｅｔｒｙ）、電源節約モードで動作するかを指示するための電源管理フィールド（Ｐｏｗｅｒ  Ｍａｎａｇｅｍｅｎｔ）などを含む。フレーム制御フィールドの電源管理フィールドは、一連のフレーム交換を成功的に完了した以後にＳＴＡが動作するモードを指示する。例えば、電源管理フィールドが‘０’に設定される場合、前記フレームの送信ＳＴＡは、アクティブモード（Ａｃｔｉｖｅ  Ｍｏｄｅ）で動作することを意味するが、前記電源管理フィールドが‘１’に設定される場合、送信ＳＴＡは、ピア電源節約モードで動作することを意味する。
【００３３】
また、サービス品質制御フィールドは、フレームが属するトラフィックカテゴリ（Ｔｒａｆｆｉｃ  Ｃａｔｅｇｏｒｙ、ＴＣ）またはトラフィックストリーム（Ｔｒａｆｆｉｃ  Ｓｔｒｅａｍ、ＴＳ）、及びフレームタイプとサブタイプに応じて変わるフレームに対する複数のサービス品質関連情報を識別するためのものである。このようなサービス品質制御フィールドは、フレームのサブタイプフィールドのＱｏＳサブフィールドが‘１’に設定されている全てのＴＤＬＳフレームに存在することができる。各サービス品質制御フィールドは、５個のサブフィールドを含み、これらのサブフィールドの使用例及び複数の可能なレイアウトは、表１に示されている。
【００３４】
【表１】
2011503999.tif 000003
また、図１を参照すると、ＬＬＣ／ＳＮＡＰフィールドは、ＬＬＣ／ＳＮＡＰヘッダを含む。また、リモートフレーム類型フィールドは、ＴＤＬＳフレームを指示する値（例えば、‘２’）に設定されることができる。プロトコルバージョンフィールドは、送受信メッセージのプロトコルバージョンを指示するための値に設定されることができる。
【００３５】
ＴＤＬＳパケット類型フィールドは、ＴＤＬＳフレームの類型を特定するための値に設定される。ＴＤＬＳフレームの類型としては、ＴＤＬＳ設定要求フレーム（ＴＤＬＳ  Ｓｅｔｕｐ  Ｒｅｑｕｅｓｔ）、ＴＤＬＳ設定応答フレーム（ＴＤＬＳ  Ｓｅｔｕｐ  Ｒｅｓｐｏｎｓｅ）、ＴＤＬＳ設定確認フレーム（ＴＤＬＳ  Ｓｅｔｕｐ  Ｃｏｎｆｉｒｍ）、ＴＤＬＳ  Ｒｘ切り替え要求フレーム（ＴＤＬＳ  Ｒｘ  Ｓｗｉｔｃｈ  Ｒｅｑｕｅｓｔ）、ＴＤＬＳ  Ｒｘ切り替え応答フレーム（ＴＤＬＳ  Ｒｘ  Ｓｗｉｔｃｈ  Ｒｅｓｐｏｎｓｅ）、ＴＤＬＳピアトラフィック指示フレーム（Ｐｅｅｒ  Ｔｒａｆｆｉｃ  Ｉｎｄｉｃａｔｉｏｎ）、ＴＤＬＳピアＰＳＭ要求フレーム（ＴＤＬＳ  Ｐｅｅｒ  ＰＳＭ  Ｒｅｑｕｅｓｔ）、及びＴＤＬＳピアＰＳＭ応答フレーム（ＴＤＬＳ  Ｐｅｅｒ  ＰＳＭ  Ｒｅｓｐｏｎｓｅ）などが含まれる。
【００３６】
ピアトラフィック指示フレームは、ＳＴＡがピアＳＴＡに送信するデータがバッファリングされているという事実を知らせるためのフレームである。ピアトラフィック指示フレーム（Ｐｅｅｒ  Ｔｒａｆｆｉｃ  Ｉｎｄｉｃａｔｉｏｎ）という名称は例示であり、ＴＤＬＳトラフィック指示メッセージ（ＴＤＬＳ  ＴＩＭ（Ｔｒａｆｆｉｃ  Ｉｎｄｉｃａｔｉｏｎ  Ｍｅｓｓａｇｅ））フレームなどで呼ばれることもできる。また、Ｐｅｅｒ  ＰＳＭ要求フレーム及びＰｅｅｒ  ＰＳＭ応答フレームは、ＴＤＬＳリンクを設定したピアＳＴＡ間で、電源節約モードに進入する以前に、起床時間などやチャネルなどの情報をネゴシエートしたり、または更新するために、交換（ｅｘｃｈａｎｇｅ）するフレームである。
【００３７】
また、ＴＤＬＳフレームの情報フィールド（Ｉｎｆｏｒｍａｔｉｏｎ）には各ＴＤＬＳフレームの類型に応じて個別的に特定される複数の情報が含まれ、含まれる情報は、各ＴＤＬＳ類型に応じて差がある。また、ＣＲＣには該当フレームのエラー訂正のための付加情報が含まれる。
【００３８】
図２は、二つのＮｏｎ−ＡＰ  ＳＴＡ（以下、単純に‘ＳＴＡ’という）及びレガシＡＰを含むＴＤＬＳ無線ネットワークにおけるＴＤＬＳ設定手順を示すメッセージ流れ図である。
【００３９】
図２を参照すると、第２のＳＴＡとダイレクトリンクを設定しようとする第１のＳＴＡは、ダイレクトリンクの設定を要求するためのフレーム、例えば、ＴＤＬＳ設定要求フレームをＡＰを経由して第２のＳＴＡに伝送する（Ｓ１１）。ＴＤＬＳ設定要求フレームは、図１のＴＤＬＳフレームでＴＤＬＳパケット類型フィールドがＴＤＬＳ設定要求（ＴＤＬＳ  Ｓｅｔｕｐ  Ｒｅｑｕｅｓｔ）を指示する値に設定されることができる。従って、段階Ｓ１１ではＴＤＬＳ設定要求がデータフレームの形式にエンカプセレーションされて送信される。従って、ＡＰは、受信されるフレームがＴＤＬＳ設定要求フレームならば、これを受信ＳＴＡである第２のＳＴＡのために伝達する機能を遂行する。
【００４０】
図３は、ＴＤＬＳ設定要求フレームの情報フィールド（図１のＴＤＬＳフレームで情報フィールド（Ｉｎｆｏｒｍａｔｉｏｎ））に含まれる情報を示す。図３を参照すると、ＴＤＬＳ設定要求フレームの情報フィールドは、リンク識別子情報（Ｌｉｎｋ  Ｉｄｅｎｔｉｆｉｅｒ）、結合要求フレームボディ情報（Ａｓｓｏｃｉａｔｉｏｎ  Ｒｅｑｕｅｓｔ  Ｆｒａｍｅ  Ｂｏｄｙ）、ダイアローグトークン情報（Ｄｉａｌｏｇ  ｔｏｋｅｎ）など、及び第１のＳＴＡのＱｏＳ能力値情報（ＱｏＳ  Ｃａｐａｂｉｌｉｔｉｅｓ  Ｉｎｆｏｒｍａｔｉｏｎ）を含む。また、ＴＤＬＳ設定要求フレームの情報フィールドは、能力値情報または拡張能力値情報（Ｅｘｔｅｎｄｅｄ  Ｃａｐａｂｉｌｉｔｉｅｓ  Ｉｎｆｏｒｍａｔｉｏｎ）をさらに含むこともできる。
【００４１】
図４は、ＱｏＳ能力値情報のフォーマットを示すブロック図である。ＱｏＳ能力値情報は、これを送信する第１のＳＴＡがサポートするＱｏＳ能力値を知らせるために使われるものである。本発明の実施例によると、ＱｏＳ能力値情報エレメントは、ピア電源節約モード（Ｐｅｅｒ  Ｐｏｗｅｒ  Ｓａｖｅ  Ｍｏｄｅ、ＰＰＳＭ）に入る第１のＳＴＡまたは第２のＳＴＡが自分のサポートするトリガサポートアクセスカテゴリ（Ｔｒｉｇｇｅｒ−ｅｎａｂｌｅｄ  Ａｃｃｅｓｓ  Ｃａｔｅｇｏｒｙ）及び／または伝達サポートアクセスカテゴリ（Ｄｅｌｉｖｅｒｙ−ｅｎａｂｌｅｄ  Ａｃｃｅｓｓ  Ｃａｔｅｇｏｒｙ）をピアＱＳＴＡに知らせるために使われる。図５を参照すると、ＱｏＳ能力値情報は、エレメントＩＤフィールド（Ｅｌｅｍｅｎｔ  ＩＤ）、長さフィールド（Ｌｅｎｇｔｈ  ＩＤ）、及びＱｏＳ情報フィールド（ＱｏＳ  Ｉｎｆｏ）を含む。
【００４２】
図５は、図４に示したＱｏＳ情報フィールドのフォーマットの一例を示すブロック図である。図５を参照すると、ＱｏＳ情報フィールドは、ＡＣ＿ＶＯ  Ｕ−ＡＰＳＤフラッグビット、ＡＣ＿ＶＩ  Ｕ−ＡＰＳＤフラッグビット、ＡＣ＿ＢＫ  Ｕ−ＡＰＳＤフラッグビット、ＡＣ＿ＢＥ  Ｕ−ＡＰＳＤフラッグビット、Ｑ−Ａｃｋビット、最大サービスピリオド長さ（Ｍａｘ  Ｓｐ  Ｌｅｎｇｔｈ）ビット、追加データ承認（Ｍｏｒｅ  Ｄａｔａ  Ａｃｋ）ビットを含む。このようなＱｏＳ情報フィールドに含まれる情報は、これを送信するＳＴＡのトリガサポートアクセスカテゴリ（Ｔｒｉｇｇｅｒ−ｅｎａｂｌｅｄ  Ａｃｃｅｓｓ  Ｃａｔｅｇｏｒｙ）及び／または配信可能アクセスカテゴリ（Ｄｅｌｉｖｅｒｙ−ｅｎａｂｌｅｄ  Ａｃｃｅｓｓ  Ｃａｔｅｇｏｒｙ）を示す。
【００４３】
ＱｏＳ情報フィールドにおいて任意のアクセスカテゴリに対するＵ−ＡＰＳＤフラッグビットを‘１’に設定する場合、該当アクセスカテゴリ（ＡＣ）は、トリガサポートアクセスカテゴリ（Ｔｒｉｇｇｅｒ−ｅｎａｂｌｅｄ  Ａｃｃｅｓｓ  Ｃａｔｅｇｏｒｙ）または配信可能アクセスカテゴリ（Ｄｅｌｉｖｅｒｙ−ｅｎａｂｌｅｄ  Ａｃｃｅｓｓ  Ｃａｔｅｇｏｒｙ）に設定される。然しながら、ＱｏＳ情報フィールドにおいて任意のアクセスカテゴリに対するＵ−ＡＰＳＤフラッグビットを‘０’に設定する場合、該当アクセスカテゴリ（ＡＣ）のデータフレームは、Ｕ−ＡＰＳＤ手順でない通常的なメッセージ伝送手順に応じて伝送される。即ち、サービスピリオド（Ｓｅｒｖｉｃｅ  Ｐｅｒｉｏｄ、ＳＰ）中に、アクティブモードまたはＰＰＳＭ  ＡＰ  ＭｏｄｅにあるＳＴＡがＰＳ−Ｐｏｌｌと関係なしにデータを送信することが許容されず、ＰＳＭまたはＰＰＳＭ  Ｃｌｉｅｎｔ  ＭｏｄｅにあるＳＴＡがＰＳ−Ｐｏｌｌを送った場合にのみＰＰＳＭ  ＡＰ  ＭｏｄｅにあるＳＴＡがデータフレームを送信する。
【００４４】
図６は、ＴＤＬＳ設定要求フレームに含まれることができる一つの情報エレメントとして拡張能力値情報エレメント（Ｅｘｔｅｎｄｅｄ  Ｃａｐａｂｉｌｉｔｉｅｓ  Ｉｎｆｏｒｍａｔｉｏｎ  Ｅｌｅｍｅｎｔ）のフォーマットを示すブロック図である。本発明の実施例によると、拡張能力値情報は、第１または第２のＳＴＡがピアＰＳＭモード（Ｐｅｅｒ  ＰＳＭ  Ｍｏｄｅ）をサポートするかを示すために用いられることができる。然しながら、ＳＴＡがピアＰＳＭモードをサポートするかどうかは拡張能力値情報エレメントでないＳＴＡの能力値を示すための他の情報エレメント（例えば、能力値情報エレメント（Ｃａｐａｂｉｌｉｔｉｅｓ  Ｉｎｆｏｒｍａｔｉｏｎ  Ｅｌｅｍｅｎｔ）または前述したＱｏＳ能力値情報エレメント）に含まれることもできる。図６を参照すると、拡張能力値情報は、エレメントＩＤフィールド（Ｅｌｅｍｅｎｔ  ＩＤ）、長さフィールド（Ｌｅｎｇｔｈ  ＩＤ）、及び能力値フィールド（Ｃａｐａｂｉｌｉｔｉｅｓ）を含み、ここで能力値フィールドに該当ＳＴＡがサポートするＰＰＳＭ関連モード情報が含まれる。
【００４５】
また、図２を参照すると、ＴＤＬＳ設定要求フレームを受信した第２のＳＴＡは、これに対する応答としてＴＤＬＳ設定応答フレームを、ＡＰを経由して第１のＳＴＡに送信する（Ｓ１２）。この場合、ＴＤＬＳ設定応答フレームは、図１のＴＤＬＳフレームにおいてＴＤＬＳパケット類型フィールドがＴＤＬＳ設定応答（ＴＤＬＳ  Ｓｅｔｕｐ  Ｒｅｓｐｏｎｓｅ）を指示する値に設定される。従って、ＴＤＬＳ設定応答（ＴＤＬＳ  Ｓｅｔｕｐ  Ｒｅｓｐｏｎｓｅ）は、データフレームの形式にエンカプセレーションされてＡＰを経由して第１のＳＴＡに送信される。
【００４６】
図７は、ＴＤＬＳ設定応答フレームの情報フィールド（図１のＴＤＬＳフレームにおいて情報フィールド（Ｉｎｆｏｒｍａｔｉｏｎ））に含まれる情報を示す。図７を参照すると、ＴＤＬＳ設定応答フレームの情報フィールドは、リンク識別子情報（Ｌｉｎｋ  Ｉｄｅｎｔｉｆｉｅｒ）、状態コード情報（Ｓｔａｔｕｓ  Ｃｏｄｅ）、結合要求フレームボディ情報（Ａｓｓｏｃｉａｔｉｏｎ  Ｒｅｑｕｅｓｔ  Ｆｒａｍｅ  Ｂｏｄｙ）、ダイアローグトークン情報（Ｄｉａｌｏｇ  ｔｏｋｅｎ）など、及びＱＳＴＡのＱｏＳ能力値情報（ＱｏＳ  Ｃａｐａｂｉｌｉｔｉｅｓ  Ｉｎｆｏｒｍａｔｉｏｎ）を含む。ＱｏＳ能力値情報のフォーマットは、図４と同様であるため、これに対する説明は省略する。また、ＴＤＬＳ設定応答フレームの情報フィールドは、ＴＤＬＳ設定応答フレームの情報フィールドと同様に、これを送信するＳＴＡがピアＰＳＭ  ＡＰモード及び／またはピアＰＳＭ  Ｃｌｉｅｎｔモードをサポートするかを指示するための情報エレメント、例えば、拡張能力値情報エレメントをさらに含めてもよい。
【００４７】
また、図２を参照すると、第１のＳＴＡは、受信されたＴＤＬＳ設定応答フレームに対するＴＤＬＳ設定確認フレームを、ＡＰを経由して第２のＳＴＡに送信する（Ｓ１３）。ＴＤＬＳ設定確認フレームは、図１のＴＤＬＳフレームにおいてＴＤＬＳパケット類型フィールドがＴＤＬＳ設定確認（ＴＤＬＳ  Ｓｅｔｕｐ  Ｃｏｎｆｉｒｍ）を指示する値に設定されるものであり、データフレームの形式にエンカプセレーションされてＡＰを経由して送信される。ＴＤＬＳ設定手順では管理作用フレームがＡＰの直接的な関与無しにデータフレームの形式にエンカプセレーションされて送信されるため、送信中に損失される可能性が高い。従って、ＴＤＬＳ設定手順ではピアＳＴＡ（第２のＳＴＡ）からのＴＤＬＳ設定応答フレームに対して、開始ＳＴＡ（第１のＳＴＡ）がＴＤＬＳ設定確認フレームを送信するようにしている。
【００４８】
このように、第１のＳＴＡと第２のＳＴＡとの間にＴＤＬＳ設定要求フレーム、ＴＤＬＳ設定応答フレーム、及びＴＤＬＳ設定確認フレームの交換が行われた後、第１のＳＴＡと第２のＳＴＡとの間にＴＤＬＳリンクが設定完了する。二つのＳＴＡ間にＴＤＬＳリンクが設定される場合、第１のＳＴＡ及び第２のＳＴＡはＡＰを経由せずにＴＤＬＳリンク経路を介してデータやその他管理フレームなどを交換することができる。もちろん、第１のＳＴＡ及び第２のＳＴＡは、ＡＰ経路を介しても通信をすることができる。
【００４９】
また、本発明の実施例によると、ＴＤＬＳリンクを設定したいずれか一つのＳＴＡは、ＰＳＭに進入することができる。この場合、ＴＤＬＳリンクを設定した二つのピアＳＴＡは、Ｐｅｅｒ  ＰＳＭをサポートするＳＴＡである。また、前記二つのピアＳＴＡのうちいずれか一つのＳＴＡがＰＳＭに進入しようとする場合、前記ＳＴＡは、ＴＤＬＳリンクをそのまま維持することもできる。また、ＰＳＭに進入しようとするピアＳＴＡは、ＰＳＭモードに進入する以前に他のピアＳＴＡと起床スケジュールなどをネゴシエートすることができる。
【００５０】
また、本発明の一実施例に係るダイレクト設定無線ネットワークにおけるピア電源節約モード（Ｐｅｅｒ  ＰＳＭ）のための手順を説明する。
【００５１】
図８は、本発明の一実施例に係るピア電源節約モードのための手順を示すメッセージ流れ図である。
【００５２】
図８を参照すると、第１のＱＳＴＡ（ＱＳＴＡ１）及び第２のＱＳＴＡ（ＱＳＴＡ２）は、ＴＤＬＳリンクを設定している。本実施例に係るＰｅｅｒ  ＰＳＭのための手順では、前述したように、第１のＱＳＴＡと第２のＱＳＴＡとの間でＴＤＬＳ設定要求フレーム、ＴＤＬＳ設定応答フレーム、及びＴＤＬＳ設定確認フレームの交換という３−ｗａｙ  ｈａｎｄｓｈａｋｅが用いられることができる。然しながら、本実施例がここに限定されることではない。
【００５３】
また、ＴＤＬＳリンクを設定した第１のＱＳＴＡ及び第２のＱＳＴＡのうち、ピアＰＳＭに進入しようとするＱＳＴＡ、例えば、第１のＱＳＴＡは、提案された起床スケジュール情報（ｐｒｏｐｏｓｅｄ  ｗａｋｅｕｐ  ｓｃｈｅｄｕｌｅ）などのような予約情報を含む要求メッセージを相手方ＱＳＴＡ、例えば第２のＱＳＴＡに送信する（Ｓ１１０）。ここで、予約情報とは、Ｐｅｅｒ  ＰＳＭに進入したＱＳＴＡが、アクティブモード（ＡＭ）に切り替えようとする起床スケジュールに関する情報、及びアクティブモードで使用しようとするチャネル情報などを含む。このような予約情報を含む要求メッセージは、ダイレクト経路を介して送信されたり、またはＡＰ経路を介して第２のＱＳＴＡに送信されることができる。
【００５４】
前記要求メッセージは、例えば、ＴＤＬＳピアＰＳＭ要求（ＴＤＬＳ  Ｐｅｅｒ  ＰＳＭ  Ｒｅｑｕｅｓｔ）フレームであり、これは例示に過ぎない。ＴＤＬＳピアＰＳＭ要求フレームは、図１に示したフォーマットのＴＤＬＳフレームを使用してもよい。また、前記ＴＤＬＳピアＰＳＭ要求フレームは、ダイアローグトークン（Ｄｉａｌｏｇ  Ｔｏｋｅｎ）情報、リンク識別子（Ｌｉｎｋ  Ｉｄｅｎｔｉｆｉｅｒ）情報、起床スケジュール（Ｗａｋｅｕｐ  Ｓｃｈｅｄｕｌｅ）情報などを含めむことができる。
【００５５】
このうち、起床スケジュール情報は、前記予約情報の一例である。起床スケジュール情報は、ピアＰＳＭのための起床スケジュールと関連付けられている情報を含む。例えば、前記起床スケジュール情報エレメントは、エレメントＩＤ（Ｅｌｅｍｅｎｔ  ＩＤ）フィールド、長さ（Ｌｅｎｇｔｈ）フィールド、開始時間（Ｓｔａｒｔ  Ｔｉｍｅ）フィールド、インターバル（Ｉｎｔｅｒｖａｌ）フィールド、最小持続時間（Ｍｉｎｉｍｕｍ  Ｄｕｒａｔｉｏｎ）フィールド、及びアイドルカウント（Ｉｄｌｅ  Ｃｏｕｎｔ）フィールドを含むことができる。エレメントＩＤフィールドは、起床スケジュール情報エレメントであることを指示する値に設定されることができ、長さフィールドは、前記情報エレメントで長さフィールドに後続するフィールドの全体長さを指示する値に設定されることができる。また、開始時間フィールドは、最初の起床期間（ｗａｋｅｕｐ  ｐｅｒｉｏｄ）の開始を指示するための所定の値に設定されることができ、インターバルフィールドは、連続される二つの起床期間の間隔を指示する値に設定されることができる。また、最小持続時間フィールドは、起床期間の最小持続時間を表す値に設定されて、また、アイドルカウントフィールドは、ピアＳＴＡが起床スケジュールを非活性化させる前に空の連続された起床期間の数を指示する値に設定されることができる。
【００５６】
また、要求メッセージを受信した第２のＱＳＴＡは、これに対する応答メッセージを第１のＱＳＴＡに送信する（Ｓ１２０）。要求メッセージがＰｅｅｒ  ＰＳＭ要求フレームの場合、前記応答メッセージは、Ｐｅｅｒ  ＰＳＭ応答フレームであってもよい。また、前記Ｐｅｅｒ  ＰＳＭ応答フレームもダイレクトリンクを介したり、またはＡＰ経路を介して、第１のＱＳＴＡに送信されることができる。
【００５７】
前記応答メッセージは、第１のＱＳＴＡが提案した予約情報に対する受容如何を指示する情報（例えば、状態コード情報）を含む。また、もし、前記状態コード情報が不受容を指示する場合には、前記応答メッセージには他の予約情報、即ち、第２のＱＳＴＡが所望する起床スケジュールなどのような予約情報を含むことができる。前記応答メッセージに新しい予約情報が含まれる場合には、図８の流れ図において、第１のＱＳＴＡがこれに対する応答メッセージを第２のＱＳＴＡに送信する過程が追加されることができる。以下、前記応答メッセージに含まれた状態コード情報が提案に対する受容を指示する値、例えば‘０’に設定された場合に対して説明する。
【００５８】
また、状態コードが‘０’に設定された応答メッセージを受信した第１のＱＳＴＡは、以後に電源管理ビットが‘１’に設定されたＭＰＤＵを第２のＱＳＴＡに送信して、電源節約モードに進入することができる（Ｓ１３０）。もちろん、この場合、第２のＱＳＴＡも電源管理ビットが‘１’に設定されたＭＰＤＵを第１のＱＳＴＡに送信して、節約節約モードに進入することができる。
【００５９】
また、電源節約モードに進入した第１のＱＳＴＡ（または第２のＱＳＴＡも電源節約モードに進入した場合には第２のＱＳＴＡも含む）は、第１のＱＳＴＡとネゴシエートされた予約情報（例えば、起床スケジュール）に合わせてアクティブモードに切り替える。また、アクティブモードに進入した第１のＱＳＴＡは、前記予約情報で特定された持続時間の間に目覚めている状態を維持しながら、第２のＱＳＴＡと通信する。このように、第１のＱＳＴＡがアクティブモードに切り替えることは、前記予約情報で特定された周期中に繰り返されることができる。
【００６０】
図９は、図８を参照して前述した本発明の一実施例に係るＴＤＬＳのための手順において、予約情報の一つである起床スケジュールを特定する方法の一例を説明するための図である。
【００６１】
図９を参照すると、に対する予約は、所定の時間間隔単位に行われることができる。前記時間間隔は、例えば、配信トラフィック指示メッセージ（Ｄｅｌｉｖｅｒｙ  Ｔｒａｆｆｉｃ  Ｉｎｄｉｃａｔｉｏｎ  Ｍｅｓｓａｇｅ、ＤＴＩＭ）間隔であり、ここに限定されることではない。また、前記時間中における具体的な予約時間は、オフセット（Ｏｆｆｓｅｔ）、持続時間（Ｄｕｒａｔｉｏｎ）、及び周期（Ｐｅｒｉｏｄｉｃｉｔｙ）の３種類のエレメントを用いて特定することができる。オフセットは、ＤＴＩＭ開始時間から予約時間がどれくらい離れているかを示し、持続時間は、前記オフセット開始時間から連続的に無線リソースが予約される時間を示し、周期は、前記時間間隔を複数のサブ期間に分けるかを示す。オフセット及び持続時間は、サブ期間単位に適用される。
【００６２】
図１０及び図１１は、第１のＱＳＴＡ（ＱＳＴＡ１）が第２のＱＳＴＡ（ＱＳＴＡ２）に予め予約された時間にＴＤＬＳ経路を用いてデータを送信する手順の一例を示す概略図及びメッセージ流れ図である。
【００６３】
まず、第１のＱＳＴＡは、ダイレクトリンク告知（Ｄｉｒｅｃｔ  Ｌｉｎｋ  Ａｎｎｏｕｎｃｅｍｅｎｔ、ＤＬＡ）を要求するメッセージ、ＤＬＡ要求フレーム（ＤＬＡ  Ｒｅｑｕｅｓｔ）ＡＰに送信する（Ｓ５１）。前記ＤＬＡ要求フレームの形態は、何らの制限がない。例えば、前記ＤＬＡ要求フレームは、新しい類型のＴＤＬＳ管理アクティブフレーム（例えば、ＴＤＬＳ  Ｔｙｐｅ  Ｖａｌｕｅ‘９’であるＴＤＬＳ  ＤＬＡ  Ｒｅｑｕｅｓｔ  Ｆｒａｍｅ）、または現在公知されている類型のＴＤＬＳ管理アクティブフレームにこのような情報が含められたフィールドが追加された形態である。このようなＤＬＡ要求メッセージは、他のＴＤＬＳ管理アクティブフレームと同様に、データフレームの形式にエンカプセレーションされてＡＰに送信されることができるが、ここに限定されることではない。
【００６４】
前記ＤＬＡ要求フレームは、第１のＱＳＴＡがダイレクトリンクを介してデータフレームを送信するために予約を所望する無線リソースの予約時間に関する情報が含まれ、実施例によっては、ＴＤＬＳを設定している相手方ＱＳＴＡに関する情報が含まれることができる。例えば、ＤＬＡ要求フレームに含まれるチャネル接続のための予約時間に関する情報には、図９を参照して説明した通り、オフセット情報（Ｏｆｆｓｅｔ）、持続時間情報（Ｄｕｒａｔｉｏｎ）、及び周期情報（Ｐｅｒｉｏｄｉｃｉｔｙ）が含まれることができる。また、相手方ＱＳＴＡに関する情報は、相手方ＱＳＴＡのＭＡＣアドレスまたはＴＤＬＳの識別子情報などが含まれることができる。
【００６５】
また、第１のＱＳＴＡからＤＬＡ要求フレームを受信したＡＰは、周期的にビーコンフレームを送信する（Ｓ５２）。前記ビーコンフレームは、例えば、ＴＩＭ間隔または配信トラフィック指示メッセージ（Ｄｅｌｉｖｅｒｙ  ｔｒａｆｆｉｃ  Ｉｎｄｉｃａｔｉｏｎ  Ｍｅｓｓａｇｅ、ＤＴＩＭ）に送信されることができる。
【００６６】
また、ＡＰは、前記ビーコンフレームと同じＤＴＩＭ間隔または異なる間隔に、前記ビーコンフレームに含めたり、または前記ビーコンフレームとは別個に受信されたＤＬＡ要求フレームを送信する（Ｓ５３）。後者の場合、前記ＤＬＡ要求フレームは、データフレームの形式にエンカプセレーションされて送信されることもできる。また、本発明の実施例によると、前記ＤＬＡ要求フレームは、ユニキャスト形式に送信されることではなく、ブロードキャスト形式に送信される。このように、ＤＬＡ要求フレームをＡＰがブロードキャスト形式に送信するようにすることによって、予約しようとする無線リソースに関する時間情報などを結合されている全てのＳＴＡ、例えば、図１１の第１のＱＳＴＡ及び第２のＱＳＴＡだけでなく、第３のＱＳＴＡ（ＱＳＴＡ３）にも無線リソースの予約情報を知らせることができる。
【００６７】
また、ブロードキャスト形式に送信されるＤＬＡ要求フレームを受信した場合、予約の相手方になるＱＳＴＡ、即ち、第２のＱＳＴＡは、受信されたＤＬＡ要求フレームに対する応答フレームを第１のＱＳＴＡに送信する（Ｓ５４）。前記応答フレームは、例えば、ＤＬＡ応答フレーム（ＤＬＡ  Ｒｅｓｐｏｎｓｅ）であり、受信された要求に対する受容如何を指示する情報と共に受信されたＤＬＡ要求フレームに含まれている情報と同じ情報（オフセット情報、持続時間情報、周期情報等）が含まれる。もし、受信された要求を拒絶する場合には、拒絶をする理由と共に予約時間に関する修正された時間情報（オフセット情報、持続時間情報、周期情報等）をさらに含んでＤＬＡ応答フレームを送信することもできる。
【００６８】
このようなＤＬＡ応答フレームは、ユニキャスト形式にダイレクトリンクを介したり、またはＡＰを経由して第１のＱＳＴＡにのみ送信されることができる。ＡＰを経由する場合、前記ＤＬＡ応答フレームも新しい類型のＴＤＬＡアクションフレームとして定義して、データフレームの形式にエンカプセレーションされて送信されるようにすることができる。または、実施例によっては、ＡＰを介してブロードキャスト形式に第１のＱＳＴＡに応答結果が伝送されることもできる。後者の場合、ＤＬＡ応答フレームは、予約された無線リソースの時間情報を再度隣のＭＰに知らせる役割をする。
【００６９】
このように、ＤＬＡ要求フレームの送信、ＤＬＡ要求フレームのブロードキャスティング、及びＤＬＡ応答フレームの送信が順次的に終わった後、第１のＱＳＴＡは、予約された時間にバッファリングしているデータフレームをダイレクトリンクを介して順次的に送信する（Ｓ５５）。第１のＱＳＴＡがバッファリングしているデータフレームを送信する手順は特別な制限はなく、無線ＬＡＮを用いた通信における通常的なバックオフ規則（Ｂａｃｋｏｆｆ  Ｒｕｌｅｓ）が適用されることができる。また、このようなＤＬＡ要求フレームによって告知された予約時間には、隣のＱＳＴＡ、例えば、第３のＱＳＴＡは、該当チャネルに対する接続を控えるすることによって、第１のＱＳＴＡと第２のＱＳＴＡとの間のダイレクトリンクを保護する。
【００７０】
図１２及び図１３は、第１のＱＳＴＡ（ＱＳＴＡ１）が第２のＱＳＴＡ（ＱＳＴＡ２）に予め予約された時間及びオフチャネル（Ｏｆｆ  Ｃｈａｎｎｅｌ）を介し、ＴＤＬＳ経路を用いて、データを送信する手順の他の例を示す概略図及びメッセージ流れ図である。
【００７１】
まず、第１のＱＳＴＡは、ダイレクトリンク告知（Ｄｉｒｅｃｔ  Ｌｉｎｋ  Ａｎｎｏｕｎｃｅｍｅｎｔ、ＤＬＡ）を要求するメッセージ、ＤＬＡ要求フレーム（ＤＬＡ  Ｒｅｑｕｅｓｔ）をＡＰに送信する（Ｓ６１）。前記ＤＬＡ要求フレームの形態は、何らの制限がない。例えば、前記ＤＬＡ要求フレームは、新しい類型のＴＤＬＳ管理アクティブフレーム（例えば、ＴＤＬＳ  Ｔｙｐｅ  Ｖａｌｕｅ‘９’であるＴＤＬＳ  ＤＬＡ  Ｒｅｑｕｅｓｔ  Ｆｒａｍｅ）、または現在公知されている類型のＴＤＬＳ管理アクティブフレームにこのような情報が含められたフィールドが追加された形態である。このようなＤＬＡ要求メッセージは、他のＴＤＬＳ管理アクティブフレームと同様にデータフレームの形式にエンカプセレーションされてＡＰに送信されることができるが、ここに限定されることではない。
【００７２】
前記ＤＬＡ要求フレームは、第１のＱＳＴＡがダイレクトリンクを介してデータフレームを送信するために予約を所望する無線リソースの予約時間に関する情報が含まれて、実施例によってはＴＤＬＳを設定している相手方ＱＳＴＡに関する情報を含むことができる。例えば、ＤＬＡ要求フレームに含まれるチャネル接続のための予約時間に関する情報には、図９を参照して説明した通り、オフセット情報（Ｏｆｆｓｅｔ）、持続時間情報（Ｄｕｒａｔｉｏｎ）、及び周期情報（Ｐｅｒｉｏｄｉｃｉｔｙ）が含まれることができる。また、相手方ＱＳＴＡに関する情報は、相手方ＱＳＴＡのＭＡＣアドレス、またはＴＤＬＳの識別子情報などが含まれることができる。
【００７３】
また、前記ＤＬＡ要求フレームは、ダイレクトリンクを介するデータの送信時に用いようとするオフチャネル（Ｏｆｆ  Ｃｈａｎｎｅｌ）に関する情報、例えば、チャネル番号（Ｃｈａｎｎｅｌ  Ｎｕｍｂｅｒ）と共に規定クラス（Ｒｅｇｕｌａｔｏｒｙ  ｃｌａｓｓ）に関する情報もさらに含むことができる。チャネル番号は、現在使用しているチャネルとは区分されるチャネルを示すものであり、第１のＱＳＴＡが第２のＱＳＴＡにダイレクトリンクを介してデータを送信する場合、用いることを所望するチャネルを示す識別情報である。また、規定クラス情報は、特定の規則（Ｒｕｌｅｓ）を有する無線装備セットのための値のセットを示すインデックスである。
【００７４】
また、第１のＱＳＴＡからＤＬＡ要求フレームを受信したＡＰは、周期的にビーコンフレームを送信する（Ｓ６２）。前記ビーコンフレームは、例えば、ＴＩＭ間隔または配信トラフィック指示メッセージ（Ｄｅｌｉｖｅｒｙ  ｔｒａｆｆｉｃ  Ｉｎｄｉｃａｔｉｏｎ  Ｍｅｓｓａｇｅ、ＤＴＩＭ）に送信されることができる。
【００７５】
また、ＡＰは、前記ビーコンフレームと同じＤＴＩＭ間隔または異なる間隔に、前記ビーコンフレームに含めたり、または前記ビーコンフレームとは別個に受信されたＤＬＡ要求フレームを送信する（Ｓ６３）。後者の場合、前記ＤＬＡ要求フレームは、データフレームの形式にエンカプセレーションされて送信されることもできる。また、本発明の実施例によると、前記ＤＬＡ要求フレームは、ユニキャスト形式に送信されることでなく、ブロードキャスト形式に送信される。このように、ＤＬＡ要求フレームをＡＰがブロードキャスト形式に送信するようにすることによって、予約しようとする無線リソースに関する時間情報などを結合されている全てのＳＴＡ、例えば、図１３の第１のＱＳＴＡ及び第２のＱＳＴＡだけでなく、第３のＱＳＴＡ（ＱＳＴＡ３）にも無線リソースの予約情報を知らせることができる。
【００７６】
また、ブロードキャスト形式にＤＬＡ要求フレームを受信した場合、予約の相手方になるＱＳＴＡ、即ち、第２のＱＳＴＡは、受信されたＤＬＡ要求フレームに対する応答フレームを第１のＱＳＴＡに送信する（Ｓ６４）。前記応答フレームは、例えば、ＤＬＡ応答フレーム（ＤＬＡ  Ｒｅｓｐｏｎｓｅ）であってもよく、受信された要求に対する受容如何を指示する情報と共に受信されたＤＬＡ要求フレームに含まれている情報と同じ情報（オフセット情報、持続時間情報、周期情報、チャネル番号情報、規定クラス情報等）が含まれる。もし、受信された要求を拒絶する場合には、拒絶をする理由と共に予約時間（オフセット情報、持続時間情報、周期情報）及び／または使用することを所望するチャネルに関する修正された提案が含まれた情報をさらに含めてＤＬＡ応答フレームを送信することもできる。
【００７７】
このようなＤＬＡ応答フレームは、ユニキャスト形式にダイレクトリンクを介したり、またはＡＰを経由（データフレームの形式にエンカプセレーション）して第１のＱＳＴＡにのみ送信されることができる。または、実施例によっては、ＡＰを介してブロードキャスト形式に第１のＱＳＴＡに応答結果が伝送されることができる。後者の場合、ＤＬＡ応答フレームは、予約された無線リソースの時間情報を再度隣のＭＰに知らせる役割をする。
【００７８】
このように、ＤＬＡ要求フレームの送信、ＤＬＡ要求フレームのブロードキャスティング、及びＤＬＡ応答フレームの送信が順次的に終わった後、第１のＱＳＴＡは予約された時間及び予約した他のチャネル（従って、他のチャネルへのチャネル切り替えが必要）を介してバッファリングしているデータフレームをダイレクトリンクを介して順次的に送信する（Ｓ６５）。第１のＱＳＴＡがバッファリングしているデータフレームを送信する手順は特別な制限がなく、無線ＬＡＮを用いた通信における通常的なバックオフ規則（Ｂａｃｋｏｆｆ  Ｒｕｌｅｓ）が適用されることができる。また、このようなＤＬＡ要求フレームによって告知された予約時間には、隣のＱＳＴＡ、例えば、第３のＱＳＴＡは、該当チャネルに対する接続を控えることによって、第１のＱＳＴＡと第２のＱＳＴＡとの間のダイレクトリンクを保護する。然しながら、第３のＱＳＴＡなどは、既存のチャネルでは通常的なバックオフ手順に従って、フレームを送信することができる。
【００７９】
以上、詳細に説明した本発明の実施例は、単に本発明の技術思想を示すための例示に過ぎず、前記実施例によって本発明の技術思想が限定されると解釈されてはならない。本発明の保護範囲は、本発明の特許請求の範囲によって特定される。
【００８０】
本発明は、無線ＬＡＮと関連付けられている通信プロトコル及びステーションに用いられることができる。
【図１】
2011503999.tif 000004
【図２】
2011503999.tif 000005
【図３】
2011503999.tif 000006
【図４】
2011503999.tif 000007
【図５】
2011503999.tif 000008
【図６】
2011503999.tif 000009
【図７】
2011503999.tif 000010
【図８】
2011503999.tif 000011
【図９】
2011503999.tif 000012
【図１０】
2011503999.tif 000013
【図１１】
2011503999.tif 000014
【図１２】
2011503999.tif 000015
【図１３】
2011503999.tif 000016
【手続補正書】
【提出日】平成22年5月11日(2010.5.11)
【手続補正１】
【補正対象書類名】明細書
【補正対象項目名】００１９
【補正方法】変更
【補正の内容】
【００１９】
ＳＴＡは、ピアＳＴＡに送信される承認されたＭＰＤＵ（ＭＡＣ  Ｐｒｏｔｏｃｏｌ  Ｄａｔａ  Ｕｎｉｔ）の電源管理ビットを‘１’に設定することによって、電源節約モードに進入することができる。もし、少なくとも一つのピアＳＴＡが電源節約モードに進入すれば、両方のピアＳＴＡは、予定された起床時間（ｗａｋｅｕｐ  ｔｉｍｅｓ）に目覚め、また、最小限の持続時間中に目覚めていたり、或いはピアサービス期間の終了まで目覚めている。また、両方のピアＳＴＡが、ピアＳＴＡに送信される承認されたＭＰＤＵ（ＭＡＣ  Ｐｒｏｔｏｃｏｌ  Ｄａｔａ  Ｕｎｉｔ）の電源管理ビットを‘０’に設定してアクティブモードに進入すれば、予約された起床時間（ｗａｋｅｕｐ  ｓｃｈｅｄｕｌｅ）などの予約情報は捨てられる。また、前記ピアＳＴＡのうちいずれか一つのＳＴＡは、現在アクティブ経路（ｃｕｒｒｅｎｔｌｙ  ａｃｔｉｖｅ  ｐａｔｈ）を介して新しい要求メッセージ（例えば、Ｐｅｅｒ  ＰＳＭ  Ｒｅｑｕｅｓｔ  ｆｒａｍｅ）を伝送することによって、現在の起床スケジュールなどのような予約情報を更新することもできる。
（項目１）
ダイレクトリンクを設定している第１のステーション及び第２のステーションのための手順において、
電源節約モードに進入しようとする第１のステーションは、前記第２のステーションとの通信のために必要な予約情報を含む要求メッセージを前記第２のステーションに送信して；及び
前記第２のステーションは、前記要求メッセージに対する応答として前記予約情報に対する受容如何を指示する状態コードを含む応答メッセージを前記第１のステーションに送信することを含むダイレクトリンク設定無線ネットワークにおける電源節約モードのための手順。
（項目２）
前記状態コードが予約情報に対する受容を指示する場合、
前記第１のステーション及び前記第２のステーションのうち少なくとも一つのステーションは、電源節約ビットが‘１’に設定されたＭＰＤＵ（ＭＡＣ  Ｐｒｏｔｏｃｏｌ  Ｄａｔａ  Ｕｎｉｔ）をピアステーションに送信し、電源節約モードに進入することをさらに含むことを特徴とする項目１に記載のダイレクトリンク設定無線ネットワークにおける電源節約モードのための手順。
（項目３）
前記第１のステーションまたは前記第２のステーションは、前記予約情報を更新するための要求メッセージをピアステーションに送信することをさらに含むことを特徴とする項目２に記載のダイレクトリンク設定無線ネットワークにおける電源節約モードのための手順。
（項目４）
前記予約情報は、起床スケジュール情報を含むことを特徴とする項目１に記載のダイレクトリンク設定無線ネットワークにおける電源節約モードのための手順。
（項目５）
前記起床スケジュール情報は、開始時間情報、インターバル情報、及び最小持続時間情報を含むことを特徴とする項目４に記載のダイレクトリンク設定無線ネットワークにおける電源節約モードのための手順。
（項目６）
前記予約情報は、チャネル情報をさらに含むことを特徴とする項目４に記載のダイレクトリンク設定無線ネットワークにおける電源節約モードのための手順。
（項目７）
前記状態コードが予約情報に対する不受容を指示する場合、
前記応答メッセージは、前記予約情報とは異なる修正された予約情報を含むことを特徴とする項目１に記載のダイレクトリンク設定無線ネットワークにおける電源節約モードのための手順。
（項目８）
前記要求メッセージ及び前記応答メッセージは、アクセスポイントを介して送信されたり、または設定されたダイレクトリンクを介して送信されることを特徴とする項目１に記載のダイレクトリンク設定無線ネットワークにおける電源節約モードのための手順。
（項目９）
第１のステーションが第２のステーションにダイレクトリンクを介してデータフレームを送信する方法であって、
前記第１のステーションは、前記第２のステーションに送信するデータフレームがあるという事実を知らせるためのメッセージとして前記データフレームを送信する時に用いるチャネルに関する予約情報を含むダイレクトリンク告知要求メッセージを、前記第２のステーションに送信する段階；及び
前記第２のステーションは、前記ダイレクトリンク告知要求メッセージに対する応答としてダイレクトリンク告知応答メッセージを前記第１のステーションに送信する段階；
を含むダイレクトリンク設定無線ネットワークにおけるフレーム送信方法。
（項目１０）
前記ダイレクトリンク告知応答メッセージが前記ダイレクトリンク告知要求メッセージに含まれた予約情報を受容する場合、前記第１のステーションは、前記予約情報に応じてデータフレームを前記第２のステーションに送信する段階をさらに含むことを特徴とする項目９に記載のダイレクトリンク設定無線ネットワークにおけるフレーム送信方法。
（項目１１）
前記第２のステーションが前記ダイレクトリンク告知要求メッセージに含まれた予約情報を拒絶する場合、前記ダイレクトリンク告知要求メッセージに対する応答として修正された予約情報が含まれたダイレクトリンク告知応答メッセージを送信する段階をさらに含むことを特徴とする項目９に記載のダイレクトリンク設定無線ネットワークにおけるフレーム送信方法。
（項目１２）
前記予約情報は、オフセット情報、持続時間情報、及び周期情報をさらに含むことを特徴とする項目９に記載のダイレクトリンク設定無線ネットワークにおけるフレーム送信方法。
（項目１３）
前記予約情報は、前記第１のステーションが前記データフレームを前記第２のステーションに送信する時に使用する前記ダイレクトリンクのオフチャネル情報をさらに含むことを特徴とする項目１２に記載のダイレクトリンク設定無線ネットワークにおけるフレーム送信方法。
【手続補正２】
【補正対象書類名】特許請求の範囲
【補正対象項目名】全文
【補正方法】変更
【補正の内容】
【特許請求の範囲】
【請求項１】
無線ＬＡＮネットワークにおける送信方法において、
第１のステーションと第２のステーションとの間にＴＤＬＳ（ｔｕｎｎｅｌｅｄ  ｄｉｒｅｃｔ  ｌｉｎｋ  ｓｅｔｕｐ）ダイレクトリンクを設定して、
前記第１のステーションは、前記第２のステーションに前記ＴＤＬＳダイレクトリンクにおける起床スケジュール（ｗａｋｅｕｐ  ｓｃｈｅｄｕｌｅ）を設定または変更するためのＤＬＡ（ｄｉｒｅｃｔ  ｌｉｎｋ  ａｎｎｏｕｎｃｅｍｅｎｔ）フレームを送信し、前記ＤＬＡフレームは、前記ＴＤＬＳダイレクトリンクを介してデータフレームを受信または送信する予約時間である前記起床スケジュールを含み、及び
前記第１のステーションは、前記第２のステーションから前記ＤＬＡフレームに対する応答として応答フレームを受信することを含み、前記応答フレームは、前記ＤＬＡフレーム内の前記起床スケジュールを前記第２のステーションが受容するか或いは拒絶するかを指示する送信方法。
【請求項２】
前記ＴＤＬＳダイレクトリンクを設定する段階は、
前記第１のステーションが前記第２のステーションにＡＰ（ａｃｃｅｓｓ  ｐｏｉｎｔ）を介してＴＤＬＳダイレクトリンク樹立を開始するためのＴＤＬＳ設定要求フレームを送信して、
前記第１のステーションが前記第２のステーションから前記ＡＰを介して前記ＴＤＬＳ設定要求フレームに対する応答であるＴＤＬＳ設定応答フレームを受信して、及び
前記第１のステーションが前記第２のステーションに前記ＡＰを介して前記ＴＤＬＳダイレクトリンクの樹立を確認するための前記ＴＤＬＳ設定応答フレームに対する応答であるＴＤＬＳ設定確認フレームを送信することを含む請求項１に記載の送信方法。
【請求項３】
前記ＤＬＡフレーム及び前記応答フレームは、データフレームにエンカプセレーションされる請求項１に記載の送信方法。
【請求項４】
前記ＤＬＡフレームは、前記ＴＤＬＳダイレクトリンクまたはＡＰを介して送信されて、前記応答フレームは、前記ＴＤＬＳダイレクトリンクを介して送信される請求項３に記載の送信方法。
【請求項５】
前記応答フレームが前記ＤＬＡフレーム内の起床スケジューリングを拒絶することを指示する時、前記応答フレームは、修正された起床スケジュールを含む請求項１に記載の送信方法。
【請求項６】
前記起床スケジュールは、オフセット、持続時間及び周期を含み、前記オフセットは、最初の起床区間の開始を指示して、前記持続時間は、起床区間の持続時間を示して、前記周期は、２個の連続された起床区間の長さを示す請求項１に記載の送信方法。
【請求項７】
前記応答フレームが前記ＤＬＡフレーム内の起床スケジューリングを受容することを指示する時、前記第１のステーションは、前記起床スケジュールに基づいて電源節約モードに進入することをさらに含む請求項１に記載の送信方法。
【請求項８】
無線ＬＡＮネットワークにおける装置において、
ピアステーションとＴＤＬＳ（ｔｕｎｎｅｌｅｄ  ｄｉｒｅｃｔ  ｌｉｎｋ  ｓｅｔｕｐ）ダイレクトリンクを設定して、
前記ピアステーションに前記ＴＤＬＳダイレクトリンクにおける起床スケジュール（ｗａｋｅｕｐ  ｓｃｈｅｄｕｌｅ）を設定または変更するためのＤＬＡ（ｄｉｒｅｃｔ  ｌｉｎｋ  ａｎｎｏｕｎｃｅｍｅｎｔ）フレームを送信し、前記ＤＬＡフレームは、前記ＴＤＬＳダイレクトリンクを介してデータフレームを受信または送信する予約時間である前記起床スケジュールを含み、及び
前記ピアステーションから前記ＤＬＡフレームに対する応答として応答フレームを受信し、前記応答フレームは、前記ＤＬＡフレーム内の前記起床スケジュールを前記ピアステーションが受容するか或いは拒絶するかを指示する装置。
【請求項９】
前記ＴＤＬＳダイレクトリンクは、
前記ピアステーションにＡＰ（ａｃｃｅｓｓ  ｐｏｉｎｔ）を介してＴＤＬＳダイレクトリンク樹立を開始するためのＴＤＬＳ設定要求フレームを送信して、
前記ピアステーションから前記ＡＰを介して前記ＴＤＬＳ設定要求フレームに対する応答であるＴＤＬＳ設定応答フレームを受信して、及び
前記ピアステーションに前記ＡＰを介して前記ＴＤＬＳダイレクトリンクの樹立を確認するための前記ＴＤＬＳ設定応答フレームに対する応答であるＴＤＬＳ設定確認フレームを送信することによって設定される請求項８に記載の装置。
【請求項１０】
前記ＤＬＡフレームおよび前記応答フレームは、データフレームにエンカプセレーションされる請求項８に記載の装置。
【請求項１１】
前記ＤＬＡフレームは、前記ＴＤＬＳダイレクトリンクまたはＡＰを介して送信されて、前記応答フレームは、前記ＴＤＬＳダイレクトリンクを介して送信される請求項１０に記載の装置。
【請求項１２】
前記応答フレームが前記ＤＬＡフレーム内の起床スケジューリングを拒絶することを指示する時、前記応答フレームは、修正された起床スケジュールを含む請求項８に記載の装置。
【請求項１３】
前記起床スケジュールは、オフセット、持続時間及び周期を含み、前記オフセットは、最初の起床区間の開始を指示して、前記持続時間は、起床区間の持続時間を示して、前記周期は、２個の連続された起床区間の長さを示す請求項８に記載の装置。
【請求項１４】
前記起床スケジュールは、電源節約モードで使われる請求項８に記載の装置。
【国際調査報告】
2011503999.tif 000017
2011503999.tif 000018